(57)【特許請求の範囲】
【請求項１】
第１ハウジングと、前記第１ハウジングに嵌合する第２ハウジングと、前記第１ハウジングに装着されるレバーであって該レバーの仮係止位置から本係止位置までの移動によって前記第１ハウジング及び前記第２ハウジングを互いに引き寄せて嵌合させるレバーと、を備えたコネクタであって、
前記レバーは、
前記第１ハウジングの表面から離れる向きへの弾性的な変形が可能なレバー側係止部であって、前記変形における剛性を高める補強リブが設けられたレバー側係止部を有し、
前記第１ハウジングは、
前記レバーが前記仮係止位置にあるときに前記レバー側係止部を係止するハウジング側係止部であって、前記レバー側係止部の係止中には前記レバーの前記本係止位置への移動を禁止すると共に、前記レバー側係止部の係止の解除中には前記レバーの前記本係止位置への移動を許可するハウジング側係止部、を有し、
前記第２ハウジングは、
前記レバー側係止部を前記向きに押圧して弾性変形させることにより、前記レバー側係止部と前記ハウジング側係止部との係止を解除する係止解除部を有し、
前記レバーが、
前記移動が可能であるように前記第１ハウジングに連結する連結部を有すると共に、前記連結部と、前記レバー側係止部と、の間に切欠きを有し、
前記レバー側係止部が、
前記切欠きの最深部近傍を固定端とする片持ち梁状の形状を有し、
前記補強リブは、前記レバー側係止部の前記第１ハウジングの表面と対面する側の面において前記レバー側係止部の延在方向に沿って延びており、
前記補強リブの延在方向の先端部に、前記係止解除部に押圧されるテーパー面が形成されている、
コネクタ。
【請求項２】
請求項１に記載のコネクタにおいて、
前記第１ハウジングの周壁と前記第２ハウジングの周壁とが重なるように、前記第１ハウジングと前記第２ハウジングとが嵌合し、
前記第１ハウジングが、
該第１ハウジングの周壁を貫通し且つ嵌合方向に延びる案内スリットであって、前記係止解除部を該第１ハウジングの周壁を貫通させた状態にて前記レバー側係止部に向けて案内する案内スリット、を有する、
コネクタ。
【発明の詳細な説明】
【技術分野】
【０００１】
本発明は、第１ハウジングと、第１ハウジングに嵌合する第２ハウジングと、第１ハウジングに装着されると共に仮係止位置から本係止位置までの移動によって第１ハウジング及び第２ハウジングを互いに引き寄せて嵌合させるレバーと、を備えたコネクタ、に関する。
【背景技術】
【０００２】
従来から、コネクタのハウジング同士の嵌合を補助するレバーを備えたレバー式コネクタが提案されている。
【０００３】
例えば、従来のレバー式コネクタの一つ（以下「従来コネクタ」という。）では、レバーが一方のハウジングに回動可能に装着され、レバーに設けられた仮係止アームが係止される仮係止突起がそのハウジングに設けられている。仮係止突起は、レバーが所定の位置（仮係止位置）まで回動したときに仮係止アームを係止し、レバーの更なる回動（本係止位置に向かう回動）を禁止するようになっている。但し、他方のハウジングに設けられた仮係止解除部によって仮係止アームが湾曲され、仮係止アームと仮係止突起との係止が解除されると、レバーの更なる回動が可能となる。これにより、従来コネクタは、本来の嵌合時ではない場合（例えば、双方のハウジングが離れている場合）、レバーを仮係止位置に保持し、レバーが意図せず回動すること等を防ぐようになっている（例えば、特許文献１を参照。）。
【先行技術文献】
【特許文献】
【０００４】
【特許文献１】特開２０１２−３８４９８号公報
【発明の概要】
【発明が解決しようとする課題】
【０００５】
従来コネクタの仮係止アームは、薄板によって形成された片持ち梁状の形状を有しており、仮係止アームが外力に抗してレバーを仮係止位置に保持する力（係止力）の大きさは、その厚さ、幅および長さ等に依存する。そのため、例えば、レバーに過大な外力が及ぶと、本来の嵌合時ではない場合であっても、仮係止アームが湾曲して仮係止アームと仮係止突起との係止が解除される可能性がある。別の言い方をすると、本来の嵌合時ではないにもかかわらず、レバーが意図せず回動してしまう場合がある。
【０００６】
上述したような意図しない回動が生じた場合、嵌合時には、本来の嵌合工程（レバーの回動など）を始める前に、作業者の手作業によってレバーを仮係止位置に戻す等の対応が必要となる。よって、このような回動は、従来コネクタの本質的な機能（レバーによる嵌合補助）には影響を及ぼさないものの、嵌合工程の作業性を低下させる一因となり得る。
【０００７】
本発明は、上述した事情に鑑みてなされたものであり、その目的は、嵌合時ではない場合に意図しないレバーの移動を出来る限り防止可能なコネクタ、を提供することにある。
【課題を解決するための手段】
【０００８】
前述した目的を達成するために、本発明に係るコネクタは、下記（１）〜（２）を特徴としている。
（１）
第１ハウジングと、前記第１ハウジングに嵌合する第２ハウジングと、前記第１ハウジングに装着されるレバーであって該レバーの仮係止位置から本係止位置までの移動によって前記第１ハウジング及び前記第２ハウジングを互いに引き寄せて嵌合させるレバーと、を備えたコネクタであって、
前記レバーは、
前記第１ハウジングの表面から離れる向きへの弾性的な変形が可能なレバー側係止部であって、前記変形における剛性を高める補強リブが設けられたレバー側係止部を有し、
前記第１ハウジングは、
前記レバーが前記仮係止位置にあるときに前記レバー側係止部を係止するハウジング側係止部であって、前記レバー側係止部の係止中には前記レバーの前記本係止位置への移動を禁止すると共に、前記レバー側係止部の係止の解除中には前記レバーの前記本係止位置への移動を許可するハウジング側係止部、を有し、
前記第２ハウジングは、
前記レバー側係止部を前記向きに押圧して弾性変形させることにより、前記レバー側係止部と前記ハウジング側係止部との係止を解除する係止解除部を有し、
前記レバーが、
前記移動が可能であるように前記第１ハウジングに連結する連結部を有すると共に、前記連結部と、前記レバー側係止部と、の間に切欠きを有し、
前記レバー側係止部が、
前記切欠きの最深部近傍を固定端とする片持ち梁状の形状を有し、
前記補強リブは、前記レバー側係止部の前記第１ハウジングの表面と対面する側の面において前記レバー側係止部の延在方向に沿って延びており、
前記補強リブの延在方向の先端部に、前記係止解除部に押圧されるテーパー面が形成されている、
コネクタであること。
（２）
上記（１）に記載のコネクタにおいて、
前記第１ハウジングの周壁と前記第２ハウジングの周壁とが重なるように、前記第１ハウジングと前記第２ハウジングとが嵌合し、
前記第１ハウジングが、
該第１ハウジングの周壁を貫通し且つ嵌合方向に延びる案内スリットであって、前記係止解除部を該第１ハウジングの周壁を貫通させた状態にて前記レバー側係止部に向けて案内する案内スリット、を有する、
コネクタであること。
【０００９】
上記（１）の構成のコネクタによれば、レバー側係止部が、嵌合時ではない場合にはハウジング側係止部に係止され、嵌合時には第２ハウジングが有する仮係止解除部によってハウジング側係止部への係止を解除されることになる。更に、レバー側係止部が、変形（係止解除のための弾性変形）における剛性を高める補強リブを有する。よって、従来コネクタのように補強リブを備えない場合に比べ、レバー側係止部がハウジング側係止部から意図せず分離すること（意図しない係止解除）をより確実に防止できる。
【００１０】
したがって、本構成のコネクタは、嵌合時ではない場合に意図しないレバーの移動を出来る限り防止できる。
【００１１】
なお、上述した「剛性」とは、対象物（レバー側係止部）に単位変形を生じさせるために必要な力（荷重／変形量）を表し、対象物の変形のし難さの度合いを表す。剛性には、曲げ剛性、剪断剛性、及び、ねじり剛性などが含まれる。
【００１２】
更に、上記（１）の構成のコネクタによれば、レバー側係止部とハウジング側係止部との意図しない係止解除を防止しつつ、更に、レバーが第１ハウジングから分離してしまうこと（レバー外れ）を防止できる。具体的には、上記（１）のようにレバー側係止部に補強リブを設けると、場合によっては、レバー側係止部の剛性が大きくなり過ぎ、仮係止解除部による係止解除（本来の係止解除）の際、レバー側係止部が変形する代わりにレバーと第１ハウジングとの連結部が大きく変形し、レバーが第１ハウジングから分離する（レバー外れが生じる）可能性がある。一方、本構成のコネクタによれば、レバーと第１ハウジングとの連結部と、レバー側係止部と、の間に切欠きが設けられている（その結果、レバー側係止部が片持ち梁状の形状を有している）。この切欠きにより、切欠きが無い場合に比べ、レバー側係止部が仮係止解除部に押圧されても、連結部が変形し難くなる。その結果、レバーと第１ハウジングとの分離（レバー外れ）が生じ難いことになる。よって、本構成のコネクタは、レバー側係止部とハウジング側係止部との意図しない係止解除の防止と、レバーと第１ハウジングとの分離の防止（レバー外れ）と、を両立できる。
【００１３】
上記（２）の構成のコネクタによれば、嵌合時、第２ハウジングの仮係止解除部を、案内スリットを通じてレバー側係止部に容易に向かわせることができる。換言すると、仮係止解除部と、レバー側係止部と、の位置合わせが容易になる。よって、本構成のコネクタは、嵌合工程の作業性を更に向上できる。
【発明の効果】
【００１４】
本発明によれば、嵌合時ではない場合に意図しないレバーの移動を出来る限り防止可能なコネクタを提供できる。
【００１５】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１６】
【図１】図１は、本発明の実施形態に係るコネクタの斜視図である。
【図２】図２は、メスハウジングを後方から見た場合の斜視図である。
【図３】図３は、レバーを、外側（メスハウジングに装着された場合の外側）から見た場合の斜視図である。
【図４】図４は、レバーを、内側（メスハウジングに装着された場合の内側）から見た場合の斜視図である。
【図５】図５は、レバーの側面図である。
【図６】図６は、レバーの仮係止アームが変形する様子を説明するための図である。
【図７】図７は、オスハウジングとメスハウジングとが嵌合する前の状態を示す図１のＡ−Ａ断面図である。
【図８】図８は、オスハウジングとメスハウジングとの嵌合開始状態を示す図１のＡ−Ａ断面図断面図である。
【図９】図９は、オスハウジングとメスハウジングとの嵌合動作中の状態を示す図１のＡ−Ａ断面図断面図である。
【図１０】図１０は、オスハウジングとメスハウジングとの嵌合完了状態を示す図１のＡ−Ａ断面図断面図である。
【図１１】図１１は、図９に示す状態（嵌合動作中）にあるオスハウジングとメスハウジングとの側面図である。
【図１２】図１２は、図１１のＢ−Ｂ断面図である。
【発明を実施するための形態】
【００１７】
＜実施形態＞
以下、図面を参照しながら、本発明の実施形態に係るコネクタについて説明する。
【００１８】
図１に示すように、本発明の実施形態に係るコネクタ１０は、オスハウジング１００と、オスハウジング１００を収容する（オスハウジング１００が内挿される）ようにオスハウジング１００と嵌合するメスハウジング２００と、メスハウジング２００に回動可能に装着されるレバー３００と、を備える。なお、本例のコネクタ１０は、電子回路基板等（図示省略）にオスハウジング１００が取り付けられる基板用コネクタである。
【００１９】
以下、図１に示すように、「嵌合方向」、「幅方向」、「上下方向」、「前」、「後」、「上」、「下」、及び、レバー３００の「回動方向」を定義する。「嵌合方向」、「幅方向」及び「上下方向」は、互いに直交する。更に、「オスハウジング１００とメスハウジング２００との嵌合時」を単純に「嵌合時」とも称呼する。図１は、レバー３００が仮係止位置にある状態を示しており、レバー３００は、仮係止位置から回動方向の前方に回動することにより、本係止位置に向けて移動する。
【００２０】
図１に示すように、オスハウジング１００は、樹脂製であり、幅方向に長い角筒状の本体周壁部１０１と、本体周壁部１０１の後端部から上下方向及び幅方向に一体に延在する矩形状のフランジ部１０２と、を備える。本体周壁部１０１の内部には、オスハウジング１００にインサート成形された複数のオス端子（図示省略）をそれぞれ収容する複数の端子収容室１０３が嵌合方向に沿って形成されている（図１２も参照）。
【００２１】
本体周壁部１０１の四隅にはそれぞれ、上下方向の外側に突出し且つフランジ部１０２から嵌合方向の前方に延びる仮係止解除リブ１０４が形成されている。本体周壁部１０１の上下面の幅方向の中央部には、それぞれ、上下方向の外側に突出し且つフランジ部１０２から嵌合方向の前方に延びる中央リブ１０５と、中央リブ１０５の前端部に位置し且つ上下方向の外側に中央リブ１０５より高く突出するボス１０６と、が形成されている。仮係止解除リブ１０４及びボス１０６の詳細については、後述される。
【００２２】
図１及び図２に示すように、メスハウジング２００は、樹脂製であり、幅方向に長い角筒状の本体周壁部２０１を備える。嵌合時、本体周壁部２０１の内周面とオスハウジング１００の本体周壁部１０１の外周面とが重なるように、オスハウジング１００とメスハウジング２００とが嵌合する。本体周壁部２０１の内部には、電線（図示省略）の端部に接続された複数のメス端子（図示省略）をそれぞれ収容する複数の端子収容室２０２が嵌合方向に沿って形成されている。
【００２３】
本体周壁部２０１の上下面の幅方向の両端部付近には、それぞれ、周壁を貫通し且つ本体周壁部２０１の前端部から嵌合方向の後方に延びるスリット２０３が形成されている。各スリット２０３の前端は嵌合方向の前方において解放されており、各スリット２０３は、後方に向けて本体周壁部２０１の嵌合方向の中央部付近まで延びている。本体周壁部２０１の上下面の幅方向の中央部にはそれぞれ、周壁を貫通し且つ本体周壁部２０１の前端部から嵌合方向の後方に延びる中央スリット２０４が形成されている。各中央スリット２０４の前端は嵌合方向の前方において解放されており、各中央スリット２０４は、後方に向けて本体周壁部２０１の嵌合方向の中央部付近まで延びている。
【００２４】
嵌合時、各スリット２０３には、オスハウジング１００の対応する仮係止解除リブ１０４が、その上下方向の外側端部が周壁から突出するように（仮係止解除リブ１０４が周壁を貫通するように）それぞれ挿入・案内され、各中央スリット２０４には、オスハウジング１００の対応するボス１０６が、その上下方向の外側端部が周壁から突出するように（ボス１０６が周壁を貫通するように）それぞれ挿入・案内される。
【００２５】
本体周壁部２０１の上下面における中央スリット２０４の後端部の後方位置にはそれぞれ、上下方向の外側に突出する回動軸２０５が形成されている。この一対の回動軸２０５には、レバーの一対の孔３０３（レバー３００とメスハウジング２００との連結部）が嵌合される。これにより、レバー３００は、一対の回動軸２０５を中心に回動可能にメスハウジング２００に装着されることになる。
【００２６】
本体周壁部２０１の上下面における各スリット２０３の幅方向の内側に隣接した位置には、上下方向の外側に突出する仮係止突起２０６がそれぞれ形成されている。仮係止突起２０６は、レバー３００を仮係止位置に係止するために設けられている（詳細は後述される）。
【００２７】
本体周壁部２０１の幅方向の両側面のそれぞれには、上下壁から幅方向の外側に突出し且つ嵌合方向に沿って互いに平行に延びる一対のリブ２０７が形成されている。その結果、一対のリブ２０７の間には、幅方向の内側に窪む凹部２０８が画成されている。各凹部２０８の底面には、幅方向の外側に向けて突出するロックビーク２０９が形成されている。各ロックビーク２０９の幅方向の外側端部には段部２０９ａが形成されている。一対のリブ２０７（凹部２０８）及びロックビーク２０９は、本係止位置にあるレバー３００を本係止位置に保持するために設けられている（詳細は後述される）。
【００２８】
図１、及び、図３〜図５に示すように、レバー３００は、樹脂製であり、一対の側板部３０１と、一対の側板部３０１の一端同士を繋ぐ繋ぎ部３０２と、を有する略Ｕ字状の形状を有する。一対の側板部３０１には貫通孔である一対の孔３０３が形成されている。一対の孔３０３にメスハウジング２００の一対の回動軸２０５が挿入されることにより、レバー３００は、一対の側板部３０１がメスハウジング２００の上下面を挟んだ状態にて、メスハウジング２００に対して（一対の回動軸２０５を中心に）回動可能となっている。
【００２９】
一対の側板部３０１の回動方向の前方の端部にはそれぞれ、切欠き３０５（例えば、図５を参照）が形成されている。その結果、一対の側板部３０１の回動方向の前方の端部には、一対の切欠き３０５に隣接するように、切欠き３０５の最深部近傍を固定端とする細長い片持ち梁状の一対の仮係止アーム３０４が形成されている。
【００３０】
図１に示すように、レバー３００が仮係止位置にある状態にて、一対の仮係止アーム３０４の先端部３０４ａが、メスハウジング２００の前方に向かう回動位置にあると共にメスハウジング２００の仮係止突起２０６に係止されている。仮係止アーム３０４の仮係止突起２０６による係止によって、レバー３００が仮係止位置に係止されると共に、レバー３００の本係止位置への移動が禁止される。
【００３１】
各仮係止アーム３０４の上下方向の内側面における切欠き３０５と反対側の側端面には、仮係止アーム３０４の延在方向に沿って延びる補強リブ３０６が形成されている（例えば、図３及び図４を参照）。このように補強リブ３０６が形成されることにより、補強リブ３０６がない場合と比べ、仮係止アーム３０４が上下方向の外側に（メスハウジング２００の表面から離れる向きに）変形する際の剛性が高められている。その結果、仮係止位置にあるレバー３００について、仮係止アーム３０４と仮係止突起２０６との意図しない分離（係止解除）が確実に防止され得る。
【００３２】
各補強リブ３０６の延在方向の先端部には、テーパー面３０６ａが形成されている。嵌合時、一対の仮係止アーム３０４のテーパー面３０６ａがオスハウジング１００の対応する仮係止解除リブ１０４の前端面１０４ａ（図１を参照）によって押圧されることにより、図６において矢印によって示すように、一対の仮係止アーム３０４が上下方向の外側へ弾性変形する。その結果、仮係止アーム３０４の仮係止突起２０６による係止が解除され、レバー３００が仮係止位置から本係止位置に向けて回動方向の前方に移動し得るようになる。
【００３３】
図６に示すように、一対の仮係止アーム３０４が上下方向の外側へ弾性変形する際、一対の切欠き３０５の存在により、仮係止アーム３０４が優先的に変形し、側板部３０１の全体が（特に、一対の孔３０３の周辺が）上下方向の外側へ弾性変形し難いことになる。よって、切欠き３０５が無い場合に比べ、一対の孔３０３が一対の回動軸２０５から外れ難いことになる。その結果、レバー３００とメスハウジング２００との分離（レバー外れ）が生じ難くなる。
【００３４】
一対の側板部３０１の上下方向の内側面にはそれぞれ、溝３０７が形成されている（例えば、図３及び図４を参照）。一対の溝３０７は、嵌合時、レバー３００の仮係止位置から本係止位置までの回動に伴ってオスハウジング１００の一対のボス１０６を溝３０７の入口部３０８から最奥部３０９まで引き寄せるために設けられている（詳細は後述される）。なお、各溝３０７は、回動方向の前方に位置する側壁３１０と、側壁３１０と連続すると共に回動方向の後方に位置する側壁３１１と、によって画成されている。
【００３５】
レバー３００の繋ぎ部３０２には、貫通孔３１２が形成されている。貫通孔３１２の回動方向の後方の一部を繋ぎ部３０２の裏側から塞ぐように、台座部３１３が繋ぎ部３０２と一体に形成されている。台座部３１３は、繋ぎ部３０２の裏側面から裏側に向けて突出すると共に上下方向に所定の間隔を空けて対向する一対の平板状の側板部３１４と、一対の側板部３１４の突出端部同士を繋ぐ平板状の底板部３１５と、を備える。レバー３００がメスハウジング２００に装着されたとき、一対の側板部３１４の上下方向の外側面は、メスハウジング２００の一対の回動軸２０５に平行な方向において所定の間隔を空けてメスハウジング２００に向けて延びることになる。
【００３６】
底板部３１５の表側面には、回動方向の後方を固定端とし回動方向の前方に延びる片持ち梁状のロックアーム３１６が一体に形成されている。ロックアーム３１６の先端部には、貫通孔であるロック孔３１７が形成されている。ロックアーム３１６の表側には、解除アーム３１８が一体に形成されている。解除アーム３１８は、ロックアーム３１６のロック孔３１７の上側及び下側のそれぞれの位置から上下方向に間隔を空けて回動方向の後方に互いに平行に延びる一対のアーム部３１９と、一対のアーム部３１９の先端部同士を連結する操作部３２０と、を備える。
【００３７】
台座部３１３及びロックアーム３１６は、メスハウジング２００の上述した一対のリブ２０７（凹部２０８）及びロックビーク２０９（図２を参照）と協働し、本係止位置にあるレバー３００を本係止位置に保持するために設けられている。
【００３８】
具体的には、レバー３００が仮係止位置から本係止位置に向けて移動（回動）すると、一対の側板部３１４が一対のリブ２０７の間に挟み込まれるように、台座部３１３が凹部２０８に受け入れられる。そして、台座部３１３が凹部２０８に受け入れられた状態でレバー３００が本係止位置に達したとき、ロックアーム３１６がロックビーク２０９に当接し、ロックアーム３１６の表側への弾性変形を経て、ロックアーム３１６のロック孔３１７がロックビーク２０９の段部２０９ａに係止される。
【００３９】
このロック孔３１７の段部２０９ａに対する係止により、本係止位置にあるレバー３００が本係止位置に保持される。一方、この状態にて解除アーム３１８の操作部３２０をメスハウジング２００に向けて押圧すると、ロックアーム３１６が表側へ弾性変形してロック孔３１７の段部２０９ａに対する係止が解除される。その結果、レバー３００が本係止位置から仮係止位置に向けて（回動方向の後方に）移動可能となる。
【００４０】
以下、図７〜図１２を参照しながら、メスハウジング２００に装着されたレバー３００を仮係止位置から本係止位置まで回動させることにより、オスハウジング１００を嵌合開始状態から嵌合完了状態まで引き寄せる際の動作について簡単に説明する。
【００４１】
先ず、図７に示すように、レバー３００が仮係止位置に係止されたメスハウジング２００とオスハウジング１００との前面同士を対向配置する。図７に示すように、レバー３００が仮係止位置にある状態では、台座部３１３の凹部２０８への受け入れが未だなされていない。
【００４２】
次いで、図８に示すように、メスハウジング２００に対してオスハウジング１００を嵌合開始状態まで挿入する。嵌合開始状態では、一対の仮係止アーム３０４のテーパー面３０６ａ（図３及び図４を参照）がオスハウジング１００の対応する仮係止解除リブ１０４の前端面１０４ａ（図１を参照）に押圧されることにより、一対の仮係止アーム３０４が上下方向の外側へ弾性変形している。よって、レバー３００が仮係止位置から本係止位置に移動可能となっている。嵌合開始状態では、オスハウジング１００の一対のボス１０６は、レバー３００の一対の溝３０７の入口部３０８（図３及び図４を参照）に位置している。
【００４３】
嵌合開始状態から、レバー３００を仮係止位置から本係止位置に向けて移動（回動）させていく。これにより、図９に示すように、溝３０７の側壁３１０がボス１０６をメスハウジング２００の後方へ向けて押圧することにより、レバー３００の移動（回動）の進行に応じ、ボス１０６（ひいては、オスハウジング１００）が、メスハウジング２００の後方へ向けて引き寄せられていく。更に、図９及び図１１〜図１２に示すように、レバー３００が仮係止位置から本係止位置まで移動する途中にて、台座部３１３の凹部２０８への受け入れが開始される。
【００４４】
そして、図１０に示すように、台座部３１３が凹部２０８に受け入れられた状態にてレバー３００が本係止位置に到達すると、ボス１０６が溝３０７の最奥部３０９（図３及び図４を参照）に達してオスハウジング１００が嵌合完了状態となると共に、上述したように、ロックアーム３１６のロック孔３１７がロックビーク２０９の段部２０９ａに係止される。これにより、オスハウジング１００とメスハウジング２００にそれぞれ設けられているオス端子（図示省略）とメス端子（図示省略）との導通接続が完了すると共に、レバー３００が本係止位置に保持される。
【００４５】
なお、上記に説明した例では、嵌合開始状態（図８）にて一対の仮係止アーム３０４の係止が既に解除されていたが、嵌合開始状態では一対の仮係止アーム３０４の係止が未だ維持されていてもよい。この場合、レバー３００を仮係止位置より回動方向の後方へ若干移動した位置に保持した状態で、オスハウジング１００を嵌合開始状態まで挿入する。嵌合開始状態では、一対の仮係止アーム３０４のテーパー面３０６ａ（図３及び図４を参照）がオスハウジング１００の対応する仮係止解除リブ１０４の前端面１０４ａ（図１を参照）に当接しているが押圧されていないので、一対の仮係止アーム３０４が上下方向の外側へ弾性変形していない。したがって、レバー３００は、仮係止位置から回動方向の前方に向けては移動不能となっている。
【００４６】
この状態にて、仮係止位置より回動方向の後方へ若干移動した位置にあるレバー３００を回動方向の前方へ（仮係止位置に向けて）移動させる。これにより、溝３０７の側壁３１０がボス１０６をメスハウジング２００の後方へ向けて押圧する（溝３０７にボス１０６を取り込む）ことにより、一対の仮係止アーム３０４のテーパー面３０６ａが対応する仮係止解除リブ１０４の前端面１０４ａに押圧され、一対の仮係止アーム３０４が上下方向の外側へ弾性変形する。その結果、レバー３００が仮係止位置から本係止位置に向けて移動可能な状態となるので、レバー３００が仮係止位置をスムーズに通過できる。
【００４７】
なお、嵌合完了状態にあるオスハウジング１００とメスハウジング２００の嵌合を解除する際、上述のように、解除アーム３１８の操作部３２０を押圧してロック孔３１７の段部２０９ａに対する係止を解除した状態にて、レバー３００を本係止位置から仮係止位置に向けて回動方向の後方に移動させる。このレバー３００の移動に伴い、溝３０７の側壁３１１がボス１０６（ひいてはオスハウジング１００）をメスハウジング２００の前方へ向けて押圧する（溝３０７からボス１０６を押し出す）ことにより、オスハウジング１００がメスハウジング２００の前方へ向けて離れ、嵌合が解除される。
【００４８】
本発明の実施形態に係るコネクタ１０によれば、レバー３００が有する一対の仮係止アーム３０４が、レバー３００が仮係止位置にあるときにはメスハウジング２００の仮係止突起２０６に係止され、嵌合時にはオスハウジング１００が有する仮係止解除リブ１０４によって弾性変形されて仮係止突起２０６との係止を解除される。更に、仮係止アーム３０４が、変形における剛性を高める補強リブ３０６を備える。よって、上述した従来コネクタのように補強リブを備えない場合に比べ、仮係止アーム３０４と仮係止突起２０６との意図しない分離（係止解除）をより確実に防止できる。したがって、嵌合時ではない場合にレバー３００の仮係止位置からの意図しない移動を防止できる。
【００４９】
更に、レバー３００において、メスハウジング２００と連結される一対の側板部３０１と、一対の仮係止アーム３０４と、の間に切欠き３０５が設けられている。その結果、仮係止アーム３０４が片持ち梁状の形状を有している。切欠き３０５により、切欠きが無い場合に比べ、仮係止アーム３０４が仮係止解除リブ１０４に押圧されても、レバー３００とメスハウジング２００との連結部（孔３０３）の周辺が変形し難くなる。その結果、レバー３００とメスハウジング２００との分離（レバー外れ）が生じ難いことになる。よって、仮係止アーム３０４と仮係止突起２０６との意図しない分離（係止解除）の防止と、レバー３００とメスハウジング２００との分離（レバー外れ）の防止と、を両立できる。
【００５０】
加えて、嵌合時、オスハウジング１００の仮係止解除リブ１０４を、スリット２０３を通じて仮係止アーム３０４に容易に向かわせることができる。換言すると、仮係止解除リブ１０４と、仮係止アーム３０４と、の位置合わせが容易になる。よって、嵌合時の作業性を更に向上できる。
【００５１】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５２】
例えば、上記実施形態では、レバー３００がメスハウジング２００に装着されているが、レバー３００がオスハウジング１００に装着されていてもよい。また、上記実施形態では、レバー３００を仮係止位置から本係止位置まで回動させることによって、オスハウジング１００とメスハウジング２００とが互いに引き寄せられるようになっているが、レバー３００を仮係止位置から本係止位置まで平行移動させることにより、オスハウジング１００とメスハウジング２００とが互いに引き寄せられるように構成されていてもよい。
【００５３】
更に、上記実施形態では、レバー３００の側板部３０１と仮係止アーム３０４との間に切欠き３０５が設けられているが、このような切欠きが設けられていなくてもよい。更に、上記実施形態では、嵌合時にオスハウジング１００の仮係止解除リブ１０４をレバー３００の仮係止アーム３０４に向けて案内するためのスリット２０３がメスハウジング２００に設けられているが、このようなスリットが設けられていなくてもよい。
【００５４】
加えて、上記実施形態では、レバー３００がメスハウジング２００の幅方向のどちらの側で装着されても動作し得るように、オスハウジング１００の本体周壁部１０１の幅方向両側に仮係止解除リブ１０４が設けられ、メスハウジング２００の本体周壁部２０１の幅方向両側にスリット２０３、仮係止突起２０６、一対のリブ２０７（凹部２０８）及びロックビーク２０９が設けられている。しかし、レバー３００がメスハウジング２００の幅方向の何れか一側のみで装着される場合には、オスハウジング１００の本体周壁部１０１の幅方向の一方のみに仮係止解除リブ１０４が設けられ、メスハウジング２００の本体周壁部２０１の幅方向の一方のみにスリット２０３、仮係止突起２０６、一対のリブ２０７（凹部２０８）及びロックビーク２０９が設けられていてもよい。
【００５５】
ここで、上述した本発明に係るコネクタの実施形態の特徴をそれぞれ以下（１）〜（３）に簡潔に纏めて列記する。
（１）
第１ハウジング（２００）と、前記第１ハウジングに嵌合する第２ハウジング（１００）と、前記第１ハウジングに装着されるレバー（３００）であって該レバーの仮係止位置から本係止位置までの移動によって前記第１ハウジング及び前記第２ハウジングを互いに引き寄せて嵌合させるレバー（３００）と、を備えたコネクタ（１０）であって、
前記レバー（３００）は、
前記第１ハウジング（２００）の表面から離れる向きへの弾性的な変形が可能なレバー側係止部（３０４）であって、前記変形における剛性を高める補強リブ（３０６）が設けられたレバー側係止部（３０４）を有し、
前記第１ハウジング（２００）は、
前記レバーが前記仮係止位置にあるときに前記レバー側係止部（３０４）を係止するハウジング側係止部（２０６）であって、前記レバー側係止部（３０４）の係止中には前記レバーの前記本係止位置への移動を禁止すると共に、前記レバー側係止部（３０４）の係止の解除中には前記レバーの前記本係止位置への移動を許可するハウジング側係止部（２０６）、を有し、
前記第２ハウジング（１００）は、
前記レバー側係止部（３０４）を前記向きに押圧して弾性変形させることにより、前記レバー側係止部（３０４）と前記ハウジング側係止部（２０６）との係止を解除する係止解除部（１０４）を有する、
コネクタ。
（２）
上記（１）に記載のコネクタにおいて、
前記レバー（３００）が、
前記移動が可能であるように前記第１ハウジング（２００）に連結する連結部（３０３）を有すると共に、前記連結部（３０３）と、前記レバー側係止部（３０４）と、の間に切欠き（３０５）を有し、
前記レバー側係止部（３０４）が、
前記切欠き（３０５）の最深部近傍を固定端とする片持ち梁状の形状を有する、
コネクタ。
（３）
上記（１）又は上記（２）に記載のコネクタにおいて、
前記第１ハウジング（２００）の周壁と前記第２ハウジング（１００）の周壁とが重なるように、前記第１ハウジングと前記第２ハウジングとが嵌合し、
前記第１ハウジング（２００）が、
該第１ハウジングの周壁を貫通し且つ嵌合方向に延びる案内スリット（２０３）であって、前記係止解除部（１０４）を該第１ハウジングの周壁を貫通させた状態にて前記レバー側係止部（３０４）に向けて案内する案内スリット（２０３）、を有する、
コネクタ。
【符号の説明】
【００５６】
１０    コネクタ
１００  オスハウジング（第２ハウジング）
１０１  本体周壁部（周壁）
１０４  仮係止解除リブ（仮係止解除部）
２００  メスハウジング（第１ハウジング）
２０１  本体周壁部（周壁）
２０３  スリット（案内スリット）
２０６  仮係止突起（ハウジング側係止部）
３００  レバー
３０１  側板部
３０３  孔（連結部）
３０４  仮係止アーム（レバー側係止部）
３０５  切欠き
３０６  補強リブ
【図１】
0006492030.tif 000002
【図２】
0006492030.tif 000003
【図３】
0006492030.tif 000004
【図４】
0006492030.tif 000005
【図５】
0006492030.tif 000006
【図６】
0006492030.tif 000007
【図７】
0006492030.tif 000008
【図８】
0006492030.tif 000009
【図９】
0006492030.tif 000010
【図１０】
0006492030.tif 000011
【図１１】
0006492030.tif 000012
【図１２】
0006492030.tif 000013